(57)【要約】【課題】アンテナを保護できる非接触式の自動改札機を提供する。【解決手段】自動改札機の本体に設けられているアンテナを介して利用者の所持する情報記録媒体と非接触でデータ授受を行って入出場処理を行う自動改札機であって、そのアンテナの表面に衝撃を吸収するカバーを設ける。【選択図】      図１
2004220067.tif 000002
【特許請求の範囲】
【請求項１】
自動改札機の本体に設けられているアンテナを介して利用者の所持する情報記録媒体と非接触でデータ授受を行って入出場処理を行う自動改札機であって、そのアンテナの表面に衝撃を吸収するカバーを設けたことを特徴とする自動改札機。
【請求項２】
請求項１に記載の自動改札機において、カバーは、軟質のフィルムからなることを特徴とする自動改札機。
【請求項３】
請求項１又は２に記載の自動改札機において、カバーの改札通路出口側の端部に上方へ突出するつば部を設けたことを特徴とする自動改札機。
【請求項４】
請求項１〜３のいずれかに記載の自動改札機において、情報記録媒体は、無線通信機能を備えたＩＣカードからなる非接触券以外に利用者の所持する携帯電話機等の携帯型情報端末機を含むことを特徴とする自動改札機。
【請求項５】
請求項１〜４のいずれかに記載の自動改札機において、その自動改札機の本体は、磁気券も処理することのできる併用型であることを特徴とする自動改札機。
【発明の詳細な説明】
【０００１】
【発明の属する技術分野】
本発明は自動改札機に係り、特に、自動改札機の本体に設けられているアンテナを保護できるようにしたものに関する。
【０００２】
【従来の技術】
近年、首都圏を中心とした鉄道では、定期券又はストアードフェアカード（ＳＦカード）を無線通信機能を備えたＩＣカードからなる非接触券とし、この非接触券を処理することのできる非接触式の自動改札機が使用されている。この非接触式の自動改札機で用いられる情報記録媒体は、無線通信機能を備えたＩＣカードからなる、銀行カードと同様の厚さ及び形状からなるカード状の非接触券であり、その非接触券が自動改札機の本体を形成する筐体の改札通路入口側上面に設けられているアンテナに軽くタッチ又はかざされると、その自動改札機の本体と非接触券との間で非接触でデータ授受が行われるように構成されている。このデータ授受が良好に行われるようにするために、タッチ・アンド・ゴー方式が推奨されている。すなわち、非接触券が自動改札機の本体から送信される電力波を受信して非接触券の駆動電力を十分に生成できるようにするために、非接触券をアンテナに推奨されている。
【０００３】
自動改札機の本体と非接触券との間でデータ授受が行われると、自動改札機の本体側では、非接触券から得られたデータ（カードデータ）を基に所定の入出場（入場又は出場を意味している。）の演算処理が行われ、その演算処理の結果、入出場を許可できるときはドアが開かれるとともに（自動改札機の本体がノーマルオープン型のときはそのまま）、新たな入出場データが非接触券に書込まれるように構成されている。また、上述の演算処理の結果、入出場が許可できないときは、ドアが閉じられるとともに、表示画面やスピーカを介して精算処理等の所定の案内が行われるように構成されている。
【０００４】
ところで、近年、ＩＴ化の進展に伴い、多くの利用者（旅客）が携帯電話機（ＰＨＳを含む。以下、携帯電話で説明する。）やＰＤＡ（Ｐｅｒｓｏｎａｌ  Ｄｉｇｉｔａｌ  Ａｓｓｉｓｔａｎｃｅ  ）等の携帯型情報端末機を所持しているので、これら携帯型情報端末機を利用して非接触式の自動改札機を通過できるようにすることが提案されている（特許文献１参照。）。
【０００５】
【特許文献１】特開２００１−５２２１３号公報
【０００６】
【発明が解決しようとする課題】
しかしながら、上記従来の非接触式の自動改札機で携帯電話等の携帯型情報端末機が使用されるようになると、その携帯型情報端末機がアンテナにタッチされるとカード状の非接触券と異なって大型であるため、アンテナ部分が損傷を受けるおそれがあるとともに、携帯型情報端末機も衝撃を受けて損傷を受けるおそれがある。また、非接触券も含めて携帯型情報端末機がアンテナ部分に十分な時間留まっていないと交信不良を起こす可能性が出てくる。
【０００７】
そこで、本発明は、利用者が所持する情報記録媒体が携帯電話等の携帯型情報端末機であってもアンテナを保護することができ、また、交信不良を未然に防止することのできる自動改札機を提供することを目的としている。
【０００８】
【課題を解決するための手段】
本発明に係る自動改札機は、上記目的を達成するために、請求項１に記載の発明は、自動改札機の本体に設けられているアンテナを介して利用者の所持する情報記録媒体と非接触でデータ授受を行って入出場処理を行う自動改札機であって、そのアンテナの表面に衝撃を吸収するカバーを設けたことを特徴としている。
本発明の請求項２に記載の自動改札機は、カバーは、軟質のフィルムからなることを特徴としている。
本発明の請求項３に記載の自動改札機は、カバーの改札通路出口側の端部に上方へ突出するつば部を設けたことを特徴としている。
本発明の請求項４に記載の自動改札機は、情報記録媒体は、無線通信機能を備えたＩＣカードからなる非接触券以外に利用者の所持する携帯電話機等の携帯型情報端末機を含むことを特徴としている。
本発明の請求項５に記載の自動改札機は、その自動改札機の本体は、磁気券も処理することのできる併用型であることを特徴としている。
【０００９】
【発明の実施の形態】
以下、本発明の実施の形態を図面に基づいて説明する。図１（ａ）は、一実施の形態に係る自動改札機の斜視図であって、磁気券からなる乗車券及び非接触券又は携帯型情報端末機の両方を処理することのできる併用型の自動改札機として示されていて、その自動改札機の本体（以下、「改札機本体」という。）Ｇを構成する一対の筐体のうちの一方の筐体Ｇ１  の斜視図として示されている。なお、図示しない他方の筐体は、改札通路Ｐを挾んでこの一方の筐体Ｇ１  と向き合う形で設けられている。
【００１０】
図１（ａ）中、１は、筐体Ｇ１  の改札通路Ｐの通過方向の進入（入口）側に設けられた乗車券の投入口、２は、その筐体Ｇ１  の上面で改札通路Ｐの進出（出口）側に設けられた取出口であり、３は、その取出口２の近傍で改札通路Ｐの進出側に設けられた利用者に対して文字により所定の内容を案内するための表示画面である。また、図１中、４は、利用者に対して音声により所定の内容の案内を行うスピーカである。
【００１１】
上記投入口１及び取出口２間の筐体Ｇ１  内には、図示しないカードハンドラが設けられている。このカードハンドラは、投入口１から投入された乗車券を取出口２又は筐体Ｇ１  内に設けられた図示しない集札箱まで搬送させることができるように構成されている。そして、その搬送の途中において、投入口１に投入された磁気券からなる乗車券に記録されているデータを読取り、新たなデータを書込み、必要に応じてパンチや印字を行い、利用者へ返却する必要のある乗車券を取出口２に排出し、筐体Ｇ１  内に回収する必要のある乗車券を集札箱へ集札できるように構成されている。
【００１２】
図１（ａ）中、ａはアンテナであって、筐体Ｇ１  の投入口１側の上面に設けられていて、図示しない非接触券又は携帯電話等の携帯型情報端末機と交信できるように構成されている。このアンテナａは、図１（ｂ）に拡大して示され、また、同図イ−イ線断面図である同図（ｃ）に示されるように、筐体Ｇ１  上に設けられたアンテナコイルａ′及び図示しない送受信機器を収納したボックスａ１  の上面を覆うようにカバー１０が設けられている。このカバー１０は、電波を通す合成樹脂製又は天然ゴム製の軟質の所定の厚みを有するフィルムから構成されている。そして、そのカバー１０の改札通路Ｐの出口側の端部及びその改札通路Ｐと反対側の端部には、上方へ所定高さ突出したつば部１０ａが一体的に設けられている。
【００１３】
このように、アンテナａが軟質のカバー１０で覆われているので、携帯型情報端末機がアンテナａにタッチされても、そのタッチの際の衝撃が効果的に吸収されてアンテナａを損傷するおそれがなく、また、その衝撃から携帯型情報端末機も保護することができる。また、つば部１０ａを有しているので、アンテナａにタッチしようとする非接触券又は携帯型情報端末機は、つば部１０ａが障壁となって非接触券等は長く留まり、交信が良好に行われる効果が得られる。
【００１４】
なお、上述の例では、衝撃を吸収するために軟質のカバー１０を用いたが、衝撃を吸収できるカバーであれば他の形式を採用することができる。例えば、ボックスａ１  上にスプリングを介在させて硬質の板材を設けたものでもよい。
【００１５】
図１（ａ）中、Ｂはセンサ取付ボックスであって、筐体Ｇ１  の上面で、かつ、改札通路Ｐと反対側に設けられ、その改札通路Ｐに沿って設けられている。このセンサ取付ボックスＢ内には、反射型センサからなる人間検知器Ｓ，Ｓ，Ｓが改札通路Ｐの入口側、中央部及び出口側にそれぞれ内蔵されていて、改札通路Ｐ内の大人の利用者を検知することができるように構成されている。すなわち、この反射型センサからなる人間検知器Ｓ，Ｓ，Ｓは、改札通路Ｐの床面から所定の高さに向けて光線を照射する発光素子と、その照射された光線が物体（利用者）に当たって反射してきた光線（反射光）を受光する受光素子とにより構成されている。また、図１（ａ）中、Ｓ′，Ｓ′…は、光電素子からなる透過型センサからなる人間検知器であって、一対の筐体間の改札通路Ｐ側に所定の間隔を保って設けられていて、改札通路Ｐ内の利用者位置を検知することができるように構成されている。そして、これら透過型センサからなる人間検知器Ｓ′，Ｓ′…で検知され、かつ、上述の反射型センサからなる人間検知器Ｓ，Ｓ，Ｓで検知されないときは、その利用者は子供（小児）の利用者と判定される。
【００１６】
図１（ａ）中、Ｄ１  ，Ｄ２  は、改札通路Ｐを開閉するドアであり、これらドアＤ１  ，Ｄ２  のうち、ドアＤ１  は改札通路Ｐの出口側に設けられ、ドアＤ２  はその入口側に設けられている。そして、これらドアＤ１  ，Ｄ２  は、改札機本体Ｇを統括的に制御する後述する制御器Ｃにより駆動されるように構成されている。
【００１７】
制御器Ｃは、図示しないが、メモリに格納されているシステムプログラム及びワーキングデータを用いて所定の入出場の演算処理を行う中央処理部（ＣＰＵ）を有している。そして、そのＣＰＵには、磁気券からなる乗車券を処理するカードハンドラと、ドアＤ１  ，Ｄ２  を駆動制御するドアドライバと、人間検知装置（Ｓ，Ｓ，Ｓ、Ｓ′，Ｓ′…）からの信号を処理する人間検知器ユニットと、アンテナａを介して非接触券又は携帯型情報端末機に記録されているデータを読取るととも、新たなデータを書込むためのリーダライタ等の機器が接続されている。
【００１８】
上記構成からなる改札機本体Ｇにおいて、磁気券からなる乗車券（図示せず）を所持している利用者が改札機本体Ｇを用いて入出場しようとするときは、その利用者により乗車券が投入口１に投入される。その投入された乗車券は、カードハンドラで搬送される途中、その乗車券に記録されているデータが読取られる。
その読取られたデータを基にしたＣＰＵの所定の入出場の演算処理の結果、入出場を許可できるときは、ドアＤ１  は開かれ（改札機本体Ｇがノーマルオープン型のときはそのまま）、したがって、利用者は、改札通路Ｐを通過することができる。
【００１９】
投入口１に投入された乗車券に記録されているデータを基にしたＣＰＵの所定の入出場の演算処理の結果、有効期間切れや乗越等で入出場を許可できない無効券と判定されたとき、ドアＤ１  は閉じられ、投入された乗車券は取出口２に排出されて利用者へ返却されるとともに、表示画面３及びスピーカ４を介して精算処理等の適切な案内が行われる。
【００２０】
次に、利用者が非接触券又は携帯型情報端末機を用いて入出場する場合は、その利用者の所持している非接触券が改札機本体Ｇのアンテナａに軽くタッチされ、又はそのアンテナａにかざされると、その非接触券から非接触でデータが読取られる。そして、その読取られたデータを基にした所定の入出場の演算処理の結果が入出場を許可できるときは、ドアＤ１  が開かれて改札通路Ｐを通過することができる。また、入出場の演算処理の結果、入出場を許可できないときは、あるいは、その演算処理の結果、入出場を許可できるときであっても、改札機本体Ｇ側から非接触券又は携帯型情報端末機に送出され、その送出された新たな入出場データが非接触券又は携帯型情報端末機に書込まれた旨の所定の信号を改札機本体Ｇで確認する前に交信が途絶えたとき、つまり、書込未了のときは、ドアＤ１  が閉じられ、表示画面３及びスピーカ４から再交信等の所定の案内が行われる。
【００２１】
なお、上述の例では、改札機本体Ｇは、乗車券及び非接触券又は携帯型情報端末機の両方を処理できる併用型としたが、非接触券又は携帯型情報端末機のみを処理する非接触式専用の自動改札機とすることもできる。しかし、上述のように併用型としたときは、利用者の利便を向上させることができる。
【００２２】
【発明の効果】
本発明の請求項１に記載の自動改札機は、改札機本体に設けられているアンテナを介して利用者の所持する情報記録媒体と非接触でデータ授受を行って入出場処理を行う自動改札機であって、そのアンテナの表面に衝撃を吸収するカバーを設けたので、アンテナ及び情報記録媒体を保護することができる。
本発明の請求項２に記載の自動改札機は、カバーは、軟質のフィルムからなるので、簡単に実施することができる。
本発明の請求項３に記載の自動改札機は、カバーの改札通路出口側の端部に上方へ突出するつば部を設けたので、交信時間が長くなり交信不良を未然に防止することができる。
本発明の請求項４に記載の自動改札機は、情報記録媒体は、無線通信機能を備えたＩＣカードからなる非接触券以外に利用者の所持する携帯電話機等の携帯型情報端末機を含むので、広く普及している携帯電話等を用いて自動改札を行うことができる。
本発明の請求項５に記載の自動改札機は、改札機本体は、磁気券も処理することのできる併用型であるので、利用者の利便性を高めることができる。
【図面の簡単な説明】
【図１】（ａ）は、本発明の一実施の形態に係る改札機本体を構成する一対の筐体のうちの一方の筐体の斜視図、（ｂ）は、アンテナ部分の拡大斜視図、（ｃ）は、（ｂ）のイ−イ線断面図である。
【符号の説明】
Ｇ  自動改札機の本体（改札機本体）
Ｇ１    筐体
Ｄ１  ，Ｄ２    ドア
Ｐ  改札通路
Ｂ  センサ取付ボックス
Ｓ，Ｓ′  人間検知器
１  投入口
２  取出口
ａ  アンテナ
Ｃ  制御器
【図１】
2004220067.tif 000003